(57)【要約】【課題】本発明の目的は、ボイラの経年劣化により排ガス温度や排ガス流量が変動し、煙道に設けた熱回収器の回収熱量が変動する場合でも、プラント信頼性及びプラント効率の低下を抑制することにある。【解決手段】本発明は、給水バイパス系統を流れる水量を調整する第１の流量制御弁と、蒸気タービンから蒸気を抽気する抽気管に設けられた第２の流量制御弁と、熱回収器の下流側に設けられた第１の温度センサ、熱交換器の下流側に設けられた第２の温度センサを備え、第１の温度センサが検出する排ガス温度、及び第２の温度センサが検出する給水温度に基づき、第１及び第２の流量制御弁の開度を調整する制御装置を設けることを特徴とする。【効果】本発明によれば、ボイラの経年劣化により排ガス温度や排ガス流量が変動し、煙道に設けた熱回収器の回収熱量が変動する場合でも、プラント信頼性及びプラント効率の低下を抑制できる。【選択図】  図１
2011190696.tif 000002
【特許請求の範囲】
【請求項１】
ボイラから排出された排ガスを流す排ガス系統と、
前記ボイラが生成する蒸気によって蒸気タービンを駆動し、前記蒸気タービンを駆動した後に復水器へ蒸気を供給する蒸気系統と、
前記復水器によって復水された水を前記ボイラに供給する給水系統を備え、
前記給水系統は、前記蒸気タービンから抽気した蒸気によって水を昇温する熱交換器を有した給水加熱器を備え、
前記熱交換器の上流側は、前記排ガス系統を流れる排ガスと前記給水系統の水を熱回収器で熱交換させるために給水バイパス系統を備えた石炭火力発電プラントであって、
前記給水バイパス系統を流れる水量を調整する第１の流量制御弁と、前記蒸気タービンから蒸気を抽気する抽気管に設けられた第２の流量制御弁と、
前記熱回収器の下流側に設けられた第１の温度センサ，前記熱交換器の下流側に設けられた第２の温度センサを備え、
前記第１の温度センサが検出する排ガス温度、及び前記第２の温度センサが検出する給水温度に基づき、前記第１及び第２の流量制御弁の開度を調整する制御装置を設けることを特徴とする石炭火力発電プラント。
【請求項２】
請求項１記載の石炭火力発電プラントであって、
前記給水加熱器は複数の熱交換器によって構成され、
前記第２の温度センサは、それぞれの前記熱交換器の下流側に設けていることを特徴とする石炭火力発電プラント。
【請求項３】
請求項１記載の石炭火力発電プラントであって、
前記第１の流量制御弁は、前記熱回収器の下流側に設けられた電気集塵機の入口ガス温度に基づいて、その開度を制御することを特徴とする石炭火力発電プラント。
【請求項４】
請求項１記載の石炭火力発電プラントであって、
前記第２の流量制御弁は、前記熱交換器から排出された給水温度に基づいて、その開度を制御することを特徴とする石炭火力発電プラント。
【請求項５】
請求項１乃至２記載の石炭火力発電プラントであって、
複数の前記熱交換器と複数の前記熱回収器が対となって構成されており、それぞれの前記熱交換器の上流側で分岐する給水バイパス系統を有し、
前記制御装置は、複数の前記熱回収器のうち、前記給水系統の高温側に位置する前記熱回収器へ送る給水の流量をより増やすように調整することを特徴とする石炭火力発電プラント。
【請求項６】
ボイラから排出された排ガスを流す排ガス系統と、
前記ボイラが生成する蒸気によって蒸気タービンを駆動し、前記蒸気タービンを駆動した後に復水器へ蒸気を供給する蒸気系統と、
前記復水器によって復水された水を前記ボイラに供給する給水系統を備え、
前記給水系統は、前記蒸気タービンから抽気した蒸気によって水を昇温する熱交換器を有した給水加熱器を備え、
前記熱交換器の上流側は、前記排ガス系統を流れる排ガスと前記給水系統の水を熱回収器で熱交換させるために給水バイパス系統を備えた石炭火力発電プラントの運転方法であって、
前記熱回収器の下流側ガス温度、及び前記熱交換器の下流側の給水温度に基づき、
前記給水バイパス系統を流れる水量と、前記蒸気タービンから蒸気を抽気する抽気量を調整することを特徴とする石炭火力発電プラントの運転方法。
【発明の詳細な説明】
【技術分野】
【０００１】
本発明は、石炭火力発電プラント及び石炭火力発電プラントの運転方法に関する。
【背景技術】
【０００２】
特許文献１は、蒸気タービン発電プラントにガスタービン発電プラントを追設した排気再燃方式のコンバインドサイクルプラントにおける給水加熱器を開示する。特許文献１のコンバインドサイクルプラントは、復水系統にバイパス路を設け、復水を熱回収器（排ガスクーラ）に供給することにより、復水を加熱している。そして、熱回収器（排ガスクーラ）で回収した排ガスの熱はボイラ給水を加熱し、プラント効率が向上する。また、特許文献１には、給水加熱器側と熱回収器（排ガスクーラ）側に給水する分配量を調整する給水調整弁を開示する。
【先行技術文献】
【特許文献】
【０００３】
【特許文献１】特開平６−２８０６号公報
【発明の概要】
【発明が解決しようとする課題】
【０００４】
しかしながら、特許文献１に開示された発明は、熱回収器（排ガスクーラ）で回収する排ガス熱量とボイラ給水の加熱量を調整するための方法が開示されていない。そのため、特許文献１に開示された発明では、ボイラの経年劣化により排ガス温度や排ガス流量が変動すると、ボイラから排出された排ガスの温度、及びボイラに給水する水の温度を所定の温度に制御することができなかった。
【０００５】
そのため、ボイラから排出された排ガスの温度が設計値からずれると、下流側の電気集塵機の集塵効率が低下する場合があった。
【０００６】
また、ボイラ内は、設計上、流路内の水が蒸気に蒸発することを想定していない熱交換器が設けられている。そのため、ボイラに供給する水の温度が設計値よりも高いと、供給水はこのボイラ熱交換器で蒸発（スチーミング）して、熱交換器が故障する可能性もある。一方、ボイラに供給する水の温度が設計値よりも低いと、ボイラへ供給した水が全量蒸発せず、ドレンとして排出されてしまう。
【０００７】
このように、ボイラから排出された排ガスの温度、及びボイラに供給する水の温度を所定の温度に制御できないと、プラント信頼性及びプラント効率が低下するという課題がある。
【０００８】
本発明の目的は、ボイラの経年劣化により排ガス温度や排ガス流量が変動し、煙道に設けた熱回収器の回収熱量が変動する場合でも、プラント信頼性及びプラント効率の低下を抑制することにある。
【課題を解決するための手段】
【０００９】
本発明は、給水バイパス系統を流れる水量を調整する第１の流量制御弁と、蒸気タービンから蒸気を抽気する抽気管に設けられた第２の流量制御弁と、熱回収器の下流側に設けられた第１の温度センサ，給水加熱器の下流側に設けられた第２の温度センサを備え、第１の温度センサが検出する排ガス温度、及び第２の温度センサが検出する給水温度に基づき、第１及び第２の流量制御弁の開度を調整する制御装置を設けることを特徴とする。
【発明の効果】
【００１０】
本発明によれば、ボイラの経年劣化により排ガス温度や排ガス流量が変動し、煙道に設けた熱回収器の回収熱量が変動する場合でも、プラント信頼性及びプラント効率の低下を抑制できる。
【図面の簡単な説明】
【００１１】
【図１】石炭火力発電プラントの構成機器のうち、低圧給水加熱装置及び関連機器を示す概略図である。（実施例１）
【図２】石炭火力発電プラントの構成機器のうち、低圧給水加熱装置及び関連機器を示す概略図である。（実施例２）
【図３】石炭火力発電プラントの系統図である。
【発明を実施するための形態】
【００１２】
一般的に、ボイラから排出された排ガスに含まれる環境規制物質を規制値以下まで除去するため、石炭火力発電プラントは排ガス処理装置を有する。排ガス処理装置は、窒素酸化物を除去する脱硝装置，燃焼灰を除去する電気集塵機，硫黄酸化物を除去する脱硫装置を有する。また、排ガス処理装置は、これらの除去装置に加えて、排ガスの余剰熱を利用するための熱交換器も設置される。熱交換器の一つは、空気予熱器であり、ボイラへ供給する空気と排ガスの間で熱交換を行う。排ガス熱を用いて供給空気を昇温させることにより、ボイラの熱効率を向上させることができる。もう一つの熱交換器は、ガス−ガスヒーター（ＧＧＨ）であり、排ガス煙道の上流側を流れる高温ガスと下流側を流れる低温ガスの間で熱交換を行う。ＧＧＨは、煙道の出口に位置する煙突から、排ガス中に含まれる水蒸気が白煙のように排出される現象を防止するための装置である。水蒸気を排出すること自体は無害である。但し、近隣住民に視覚的な不安を与えるため、日本では規制の対象となる（視覚的公害と呼ばれる）。
【００１３】
また、脱硫装置は、石灰石スラリーの水溶液を煙道にスプレイで散布して硫黄酸化物を取り除く。このため、脱硫装置の出口は、排ガス中の水分濃度が高くなり、ガス温度も低下する。そのため、脱硫装置から排出された排ガスをこのままの状態で大気中に放出すると、煙突出口で水蒸気が凝縮して白煙のようになる。ＧＧＨは、脱硫装置より下流側の低温排ガスを、煙道の上流側の高温排ガスによって１００度以上に昇温させることにより、煙突出口での水蒸気の凝縮を抑え、白煙を防止する。
【００１４】
このＧＧＨは、水を伝熱媒体として利用し、排ガスの上流側と後流側の熱交換を行う。すなわち、煙道の上流側に高温排ガスから熱を回収するための熱回収器を設置し、熱回収器は高温排ガスから熱を回収して水を昇温させる。さらに、煙道の後流側（脱硫装置の後）は、低温排ガスを昇温するための再熱器を設置する。再熱器は、熱回収器を通った高温の水と低温排ガスとを熱交換させ、低温排ガスを昇温させる。伝熱媒体となる水は熱回収器と再熱器を循環する。熱回収器は、電気集塵機の前段に設置されることが多い。電気集塵機は、集塵効率がガス温度に依存するためである。そして、ＧＧＨの熱回収器は排ガス温度を調整し（低下させる）、集塵効率を最大にできる。
【００１５】
ここで、白煙防止の規制がない国外の発電プラント、あるいはＣＯ2排出を抑制するために排ガス中のＣＯ2を回収して貯留する装置が設置されたＣＯ2回収型石炭火力発電プラントは、ＧＧＨを設けていない。
【００１６】
ＧＧＨが無い場合、電気集塵機の効率が最大となるように排ガス温度を調整することができない。このため、電気集塵機の前段に熱回収器を設置する方法が考えられる。ただし、ＧＧＨとは異なり、煙突出口で排ガスを加熱する必要はないので、再熱器は取り付けない。そこで、再熱器の代わりに、給水加熱器を設ける方式が採用される場合がある。この給水加熱器は、熱回収器で回収した排ガスの熱によってボイラ給水を加熱し、プラントの効率を向上させる装置である。
【００１７】
以下の実施例は、石炭火力発電プラントに係わり、特に石炭火力発電プラントの効率向上に寄与する給水加熱器を有したプラントに関する。
【実施例１】
【００１８】
図３は、石炭火力発電プラントの系統図である。ボイラ５０は、石炭を燃料として燃焼ガスを発生させる。煙道５４は、ボイラ５０から排出された排ガスを煙突５８まで導く排ガス系統である。排ガス処理装置５７は、ボイラ５０から排出された排ガスに含まれる環境規制物質を規制値以下まで除去する装置である。煙突５８は、排ガス処理装置５７によって処理された排ガスを外部へ放出する。なお、排ガス処理装置５７は、熱回収器５，電気集塵機６だけでなく脱硝装置なども備える。
【００１９】
蒸気系統５５は、蒸気タービン１２及び復水器５１を備える。蒸気タービン１２は、ボイラ５０が生成する蒸気によって駆動される。復水器５１は、蒸気タービン１２から排出された蒸気を復水する。復水器５１から排出された復水は、給水系統１１を通じてボイラ５０に戻される。この給水系統１１には、復水を供給するための復水ポンプ５２，低圧給水加熱器１０，高圧給水加熱器５３を備える。
【００２０】
蒸気タービン１２と低圧給水加熱器１０との間には、蒸気タービン１２からの抽気蒸気が流れる抽気系統２３，２４が設けられている。ドレン蒸気配管２５，２６は、給水加熱器からのドレンが流れる配管である。
【００２１】
図１は、図３に示す石炭火力発電プラントの構成機器のうち、低圧給水加熱器及び関連機器を示す概略図である。
【００２２】
石炭火力発電プラントは、復水器５１からの復水を復水ポンプ５２で昇圧し、給水系統１１を通して、最初に低圧給水加熱器１０に送水する。低圧給水加熱器１０は、複数の熱交換器で構成されている。これらの熱交換器は、復水器側に位置する熱交換器から順に第一熱交換器１，第二熱交換器２，第三熱交換器３，第四熱交換器４と呼ばれる。低圧給水加熱器１０で加熱された給水は、高圧給水加熱器５３へ送られる。低圧給水加熱器１０の各熱交換器は、蒸気タービン１２から抽気した蒸気により給水を加熱する。抽気系統２３は第一熱交換器１へ抽気蒸気を送り、抽気系統２４は第二熱交換器２へ抽気蒸気を送る。第三，第四熱交換器に送る抽気管は省略している。第二熱交換器２へ送られた抽気蒸気は給水と熱交換を行った後、ドレンになる。このドレンは、ドレン蒸気配管２５を通して第一熱交換器１へ送られる。第一熱交換器１では、第二熱交換器２からのドレン、及び抽気系統２３から抽気された抽気蒸気を使用して給水を加熱する。そして、第一熱交換器１から排出されたドレンは、ドレン蒸気配管２６を通して、最終的には復水器５１へ送られる。低圧給水加熱器１０の各熱交換器は、蒸気タービン１２からの抽気蒸気と給水系統１１を流れる給水の間で熱交換を行うが、両者の混合は行わない。
【００２３】
本実施例の給水系統は、低圧給水加熱器１０の上流側で分岐する。給水系統１１を流れる給水の一部は、給水バイパス系統２７を通して、煙道に設置した熱回収器５に送られる。熱回収器５は、高温排ガスによって給水を加熱した後、再び給水系統１１に送水する。本実施例の給水系統１１は、給水バイパス系統２７を第二熱交換器２の後段側で合流させている。但し、給水バイパス系統２７と給水系統１１の合流位置は、排ガスから回収できる収熱量に依存する。排ガスからの回収熱量が多く、給水温度を高温まで上昇できる場合、給水バイパス系統２７は給水系統１１のさらに後流側で合流することも考えられる。逆に、排ガスからの回収熱量が少ない場合、給水バイパス系統２７は給水系統１１のより上流側（すなわち第一熱交換器１の後段）で合流することも考えられる。排ガスから回収できる熱量は、熱回収器５に入る排ガスの温度と、熱回収器５の後段に設置された電気集塵機６の集塵効率を基に定めた入口排ガス温度の適正値との差、及び排ガス流量で決まる。
【００２４】
次に、上述した装置で、排ガスにより給水加熱を行うと共に、給水温度と電気集塵機入口の排ガス温度を所定の値に制御するための方法を説明する。
【００２５】
低圧給水加熱器１０を構成する各熱交換器の給水出口には、給水温度を検出するための温度センサを設置する。なお、図１は、代表して２つの温度センサ３１，３２を示す。また、電気集塵機の入口には、電気集塵機の入口ガス温度を検出するための温度センサ３３を設置する。温度センサ３１〜３３が検出した温度信号は、制御装置７に送信される。制御装置７は、これらの温度センサで検出した温度が所定の値となるように抽気蒸気の流量を調整する。
【００２６】
流量制御弁４１は、蒸気タービン１２から第一熱交換器１に供給する抽気蒸気流量を調整するための弁である。流量制御弁４２は、第二熱交換器２への抽気蒸気流量を調整するための弁である。流量制御弁４３は、給水バイパス系統２７へ流れる給水バイパス流量を調整するための弁である。制御装置７は、温度センサ３１，３２，３３で検出した温度が所定の値になるように、流量制御弁４１，４２，４３に開度信号を送信する。
【００２７】
具体的には、復水ポンプ５２から送られた給水の一部は、給水バイパス系統２７を通して熱回収器５に送られる。電気集塵機入口のガス温度は、集塵効率が最大となるように設定値が定められている。制御装置７は、電気集塵機入口のガス温度を検出する温度センサ３３の値が前記設定値となるように、流量制御弁４３を制御して給水バイパス流量を調整する。熱回収器５は、給水バイパス流量が多くなるほど、排ガスから給水への熱交換量が多くなり、電気集塵機入口のガス温度は低下する。逆に、給水バイパス流量が少なくなるほど、排ガスから給水への熱交換量が少なくなり、電気集塵機入口のガス温度は上昇する。
【００２８】
一方、給水バイパス系統２７を通る給水バイパス流量が多くなると、第一熱交換器１及び第二熱交換器２を流れる給水流量は少なくなる。蒸気タービン１２から流れる抽気蒸気の流量が変わらない場合、第一熱交換器１及び第二熱交換器２は少量の給水を加熱するため、給水温度は上昇する。給水温度は、ボイラ内の熱交換器に最適な設定値が定められている。このため、制御装置７は、各熱交換器の給水出口温度を検出する温度センサ３１，３２の値が前記設定値となるように、流量制御弁４１，４２を制御して、抽気蒸気流量を調整する。抽気蒸気流量を減らすほど、抽気蒸気から給水に供給する熱量が少なくなり、給水温度は低下する。蒸気タービンからの抽気蒸気流量が少なくなれば、その分、蒸気が発電に利用され、プラント効率の増加をもたらす。
【００２９】
本実施例によれば、給水バイパス系統２７を流れる水量を調整する流量制御弁４３と、蒸気タービン１２から蒸気を抽気する抽気管に設けられた流量制御弁４１，４２と、熱回収器５の下流側に設けられた温度センサ３３，熱交換器の下流側に設けられた温度センサ３１，３２を備え、温度センサ３３が検出する排ガス温度，温度センサ３１，３２が検出する給水温度に基づき、流量制御弁４１〜４３の開度を調整する制御装置７を設けている。石炭火力発電プラントは、ボイラの経年劣化により排ガス温度や排ガス流量が変動する。そのため、排ガス系統（煙道）に設けた熱回収器は、排ガスからの回収熱量が変動し、下流側に位置する電気集塵機の集塵効率に影響を与える。また、蒸気タービンからの抽気蒸気量によって、ボイラ内の熱交換器にも影響を与える。そこで前述の制御装置を設けることで、電気集塵機の集塵効率を維持するとともに、ボイラ内の熱交換器で水が蒸発（スチーミング）して熱交換器が故障することを抑制できる。また、ボイラへ供給した水が全量蒸発せず、ドレンとして排出されてしまう現象も回避できる。
【００３０】
また、本実施例において、給水加熱器は複数の熱交換器によって構成され、温度センサは、それぞれの熱交換器の下流側に設けている。各熱交換器の下流側に温度センサを設けることで、各熱交換器が抽気蒸気によって給水を加熱する加熱量を把握できる。そのため、それぞれの蒸気タービンから抽気する蒸気量を調整でき、抽気蒸気量を最小にできる。抽気蒸気量を低減できれば、蒸気タービンの発電量を増加させることが可能である。
【実施例２】
【００３１】
図２は、石炭火力発電プラントの構成機器のうち、低圧給水加熱装置及び関連機器を示す概略図である。ここでは、実施例１と異なる部分のみを説明する。
【００３２】
実施例１の熱回収器は一つであったが、実施例２の熱回収器は複数設置している。第一熱回収器８は第一熱交換器１と並列に設置され、第二熱回収器９は第二熱交換器２と並列に設置されている。それぞれの熱回収器へ給水する給水バイパス系統２８，２９、及び給水パイパス流量を調整するための流量制御弁４４，４５も設置している。これら複数の流量制御弁は、制御装置７によって制御され、熱回収器への給水パイパス流量をそれぞれ独立に調整する。
【００３３】
本実施例の制御装置７は、複数の熱回収器のうち、給水系統の高温側に位置する熱回収器へ送水する給水流量をより増やすように調整する。熱回収器への給水バイパス流量を増やすほど、熱回収器と並列に設置された給水加熱器（熱交換器）への給水流量は減少する。そして、蒸気タービンの抽気蒸気を使って給水を加熱するために必要な熱量が少なくなるため、タービン抽気蒸気の流量を少なくできる。抽気蒸気流量を減らしてタービン出力を向上させる寄与度は、第一熱交換器１よりも、第二熱交換器２の方が大きい。給水系統の下流側は、上流側に比べて給水温度が上昇する。そのため、給水を加熱するための抽気蒸気は、給水系統の高温側に位置する第二熱交換器２の方が、第一熱交換器１に比べてより高温・高圧の蒸気を必要とするからである。従って、給水系統の高温側に位置する熱回収器へ送る給水の流量を増やすことにより、高温・高圧の蒸気を給水加熱に利用せず、タービンの回転動力に利用でき、タービン出力の増加幅を大きくすることが可能である。
【００３４】
以上の特徴を考慮して、本実施例では、蒸気タービンからの抽気蒸気を減らす場合、より高温・高圧の抽気蒸気を優先的に減らすことで、タービン出力増加の寄与度を大きくできる。
【００３５】
次に、本実施例の制御方法を説明する。本実施例においても、排ガス処理装置における電気集塵機６の入口ガス温度が所定の値になるように、給水パイバス流量を調整する点は、実施例１と同様である。
【００３６】
本実施例では、電気集塵機６の入口ガス温度が所定の値より高く、給水バイパス流量を増やす場合、制御装置７は流量制御弁４５を開く方向に操作して、第二熱回収器９への給水パイパス流量を優先的に増やしていく。このとき、第二熱交換器２の出口給水温度が上昇することを防ぐため、制御装置７は抽気蒸気の流量制御弁４２を閉じる方向に制御して、第二熱交換器２への抽気蒸気流量を減らし、出口給水温度を所定の値に調整する。ここで、制御装置７は、第二熱交換器２に供給される抽気蒸気の流量下限値が設定されている。この抽気蒸気流量が下限値に達したとき、あるいは、下限値が設定されていない場合、制御装置７は流量制御弁４２を全閉にする。そして、抽気蒸気流量が０となったとき、制御装置７は流量制御弁４４を開く方向に操作し、第一熱回収器８への給水パイパス量を増やす。これに伴って、第一熱交換器１への抽気蒸気流量が減らされる。このように、第一熱回収器８は、第二熱回収器９のみでは排ガスからの回収熱量が不十分であり、電気集塵機の入口ガス温度が所定の値まで低下しない場合に、排ガスから熱を回収する補佐的な役割を有する。
【００３７】
電気集塵機６の入口ガス温度が所定の値よりも低く、給水バイパス流量を減らす場合、上述の制御方式と逆の手順になる。具体的には、制御装置７は流量制御弁４４を操作して、第一熱回収器８への給水パイパス流量を第二熱回収器９よりも優先して減らすように制御する。このとき、第一熱交換器１の出口給水温度が低下することを防ぐため、抽気蒸気の流量制御弁４１を開く方向に制御して、第一熱交換器１への抽気蒸気流量を増やし、出口給水温度を所定の値に調整する。ここで、制御装置７には、第一熱回収器８への給水パイパス流量の下限値が設定されている。この給水パイパス流量が下限値に達したとき、あるいは、下限値が設定されていない場合、制御装置７は流量制御弁４４を全閉とする。そして、給水パイパス流量が０となったとき、制御装置７は流量制御弁４５を閉じる方向に操作し、第二熱回収器９への給水パイパス量を減らす。これに伴って、制御装置７は第二熱交換器２への抽気蒸気流量を増加させる。
【００３８】
本実施例によれば、排ガスの熱を給水加熱に利用する石炭火力発電プラントにおいて、給水系統の下流側に位置する熱交換器の給水バイパス流量を優先的に増やす。そのため、より高温・高圧のタービン抽気蒸気を減らすことにより、タービン出力の増加幅を大きくすることができ、高効率なプラントの運転を実現できる。
【産業上の利用可能性】
【００３９】
本発明は排ガス熱で給水を加熱する給水加熱装置を有する石炭火力発電プラントに適用できる。
【符号の説明】
【００４０】
１  第一熱交換器
２  第二熱交換器
３  第三熱交換器
４  第四熱交換器
５  熱回収器
６  電気集塵機
７  制御装置
８  第一熱回収器
９  第二熱回収器
１０  低圧給水加熱器
１１  給水系統
１２  蒸気タービン
２３，２４  抽気系統
２５，２６  ドレン蒸気配管
２７，２８，２９  給水バイパス系統
３１，３２，３３  温度センサ
４１，４２，４３，４４，４５  流量制御弁
【図１】
2011190696.tif 000003
【図２】
2011190696.tif 000004
【図３】
2011190696.tif 000005